(57)【要約】【課題】個人情報の漏出の可能性を、より低減することのできる個人情報保護方法、個人情報保護プログラム及び携帯電話端末を提供する。【解決手段】携帯電話端末１０内に位置するＳＩＭカード２０の個人情報を、装着インターフェイス部を介して取得し、個人情報メモリに記憶する。携帯電話端末１０から排出されたＳＩＭカード２０は、ＳＩＭカードホルダ３０に収容されて携帯される。ＳＩＭカード２０が携帯電話端末１０から取り出されると、携帯電話端末１０の制御部は、前記ＳＩＭカードホルダ３０が携帯電話端末１０から所定範囲内に位置しているか否かを判断する。制御部は、ＳＩＭカードホルダ３０が所定範囲内に位置している場合には、個人情報メモリの個人情報を用いて携帯電話端末１０を機能させる。一方、所定範囲内にないときには、個人情報メモリの個人情報へのアクセスを拒否する。【選択図】      図１
2004363732.tif 000002
【特許請求の範囲】
【請求項１】
メモリカードに記憶されている個人情報を記憶可能な記憶手段と、前記メモリカードに対して有線により送受信を行う第１のインターフェイスと、前記メモリカードに対して無線により送受信を行う第２のインターフェイスと、前記記憶手段を制御する制御手段とを備える携帯電話端末における前記個人情報を保護する個人情報保護方法であって、
前記制御手段が、
前記第１のインターフェイスを介して前記メモリカードに接続して、前記個人情報を前記メモリカードから読み出して前記記憶手段に書き込む記録段階と、
前記第１のインターフェイスから前記メモリカードが切り離されたときに、前記制御手段が、前記第２のインターフェイスを介して前記メモリカードを検知する検知段階と、
前記検知の結果に基づいて前記記憶手段に記憶されている個人情報を保護するための保護処理を実行する保護処理段階とを含むことを特徴とする個人情報保護方法。
【請求項２】
前記検知段階は、所定時間間隔で前記メモリカードの検知を実行することを特徴とする請求項１に記載の個人情報保護方法。
【請求項３】
前記保護処理は、前記メモリカードの検知ができず、かつ前記制御手段が前記個人情報を読み出すための指令信号を受信したときに実行されることを特徴とする請求項１又は２に記載の個人情報保護方法。
【請求項４】
前記検知段階は、前記制御手段が前記個人情報を読み出すための指令信号を受信したときに、前記メモリカードの検知を実行することを特徴とする請求項１に記載の個人情報保護方法。
【請求項５】
前記保護処理は、少なくとも第１の保護処理及び第２の保護処理とから構成され、
前記記憶手段に対する第１の保護処理を行った後、前記第２のインターフェイスを介して前記メモリカードを検知できない場合には、第２の保護処理を段階的に行うことを特徴とする請求項１〜４のいずれか１つに記載の個人情報保護方法。
【請求項６】
前記保護処理は、前記個人情報が記録された記憶手段に対する処理の実行を拒否する処理を含むことを特徴とする請求項１〜５のいずれか１つに記載の個人情報保護方法。
【請求項７】
前記保護処理は、前記記憶手段に記録された前記個人情報を消去する処理を含むことを特徴とする請求項１〜６のいずれか１つに記載の個人情報保護方法。
【請求項８】
前記保護処理は、個人情報を保護することを知らせる警告処理であることを特徴とする請求項１〜７のいずれか１つに記載の個人情報保護方法。
【請求項９】
前記個人情報保護方法は、
第２のインターフェイスを介して前記メモリカードを検知可能な場合には、前記制御手段が、前記第１のインターフェイスを介して、前記記憶手段において更新された情報を前記メモリカードに追加するための書き込む段階を更に含むことを特徴とする請求項１〜８のいずれか１つに記載の個人情報保護方法。
【請求項１０】
メモリカードに記憶されている個人情報を記憶可能な記憶手段と、前記メモリカードに対して有線により送受信を行う第１のインターフェイスと、前記メモリカードに対して無線により送受信を行う第２のインターフェイスと、前記記憶手段を制御する制御手段とを備える携帯電話端末における前記個人情報を保護する個人情報保護プログラムであって、
前記制御手段を、
前記第１のインターフェイスを介して前記メモリカードに接続して、前記個人情報を前記メモリカードから読み出して前記記憶手段に書き込む記録手段、
前記第１のインターフェイスから前記メモリカードが切り離されたときに、前記第２のインターフェイスを介して前記メモリカードを検知する検知手段、及び前記検知の結果に基づいて前記記憶手段に記憶されている個人情報を保護するための保護処理を実行する保護処理手段として機能させることを特徴とする個人情報保護プログラム。
【請求項１１】
前記検知手段は、所定時間間隔で前記メモリカードの検知を実行することを特徴とする請求項１０に記載の個人情報保護プログラム。
【請求項１２】
前記保護処理は、前記メモリカードの検知ができず、かつ前記制御手段が前記個人情報を読み出すための指令信号を受信したときに実行されることを特徴とする請求項１０又は１１に記載の個人情報保護プログラム。
【請求項１３】
前記検知手段は、前記制御手段が前記個人情報を読み出すための指令信号を受信したときに、前記メモリカードの検知を実行することを特徴とする請求項１０に記載の個人情報保護プログラム。
【請求項１４】
前記保護処理は、少なくとも第１の保護処理及び第２の保護処理とから構成され、
前記記憶手段に対する第１の保護処理を行った後、前記第２のインターフェイスを介して前記メモリカードを検知できない場合には、第２の保護処理を段階的に行うことを特徴とする請求項１０〜１３のいずれか１つに記載の個人情報保護プログラム。
【請求項１５】
前記保護処理は、前記個人情報が記録された記憶手段に対する処理の実行を拒否する処理を含むことを特徴とする請求項１０〜１４のいずれか１つに記載の個人情報保護プログラム。
【請求項１６】
前記保護処理は、前記記憶手段に記録された前記個人情報を消去する処理を含むことを特徴とする請求項１０〜１５のいずれか１つに記載の個人情報保護プログラム。
【請求項１７】
前記保護処理は、個人情報を保護することを知らせる警告処理であることを特徴とする請求項１０〜１６のいずれか１つに記載の個人情報保護プログラム。
【請求項１８】
前記個人情報保護プログラムは、
前記制御手段を、
第２のインターフェイスを介して前記メモリカードを検知可能な場合には、前記制御手段が、前記第１のインターフェイスを介して、前記記憶手段において更新された情報を前記メモリカードに追加するための書き込む手段として更に機能させることを特徴とする請求項１０〜１７のいずれか１つに記載の個人情報保護プログラム。
【請求項１９】
メモリカードに記憶されている個人情報を記憶可能な記憶手段と、前記メモリカードに対して有線により送受信を行う第１のインターフェイスと、前記メモリカードに対して無線により送受信を行う第２のインターフェイスと、前記記憶手段を制御する制御手段とを備える携帯電話端末であって、
前記制御手段は、
前記第１のインターフェイスを介して前記メモリカードに接続して、前記個人情報を前記メモリカードから読み出して前記記憶手段に書き込む記録手段、
前記第１のインターフェイスから前記メモリカードが切り離されたときに、前記第２のインターフェイスを介して前記メモリカードを検知する検知手段、及び前記検知の結果に基づいて前記記憶手段に記憶されている個人情報を保護するための保護処理を実行する保護処理手段を備えたことを特徴とする携帯電話端末。
【請求項２０】
前記検知手段は、所定時間間隔で前記メモリカードの検知を実行することを特徴とする請求項１９に記載の携帯電話端末。
【請求項２１】
前記保護処理は、前記メモリカードの検知ができず、かつ前記制御手段が前記個人情報を読み出すための指令信号を受信したときに実行されることを特徴とする請求項１９又は２０に記載の携帯電話端末。
【請求項２２】
前記検知手段は、前記制御手段が前記個人情報を読み出すための指令信号を受信したときに、前記メモリカードの検知を実行することを特徴とする請求項１９に記載の携帯電話端末。
【請求項２３】
前記保護処理は、少なくとも第１の保護処理及び第２の保護処理とから構成され、
前記記憶手段に対する第１の保護処理を行った後、前記第２のインターフェイスを介して前記メモリカードを検知できない場合には、第２の保護処理を段階的に行うことを特徴とする請求項１９〜２２に記載の携帯電話端末。
【請求項２４】
前記保護処理は、前記個人情報が記録された記憶手段に対する処理の実行を拒否する処理を含むことを特徴とする請求項１９〜２３のいずれか１つに記載の携帯電話端末。
【請求項２５】
前記保護処理は、前記記憶手段に記録された前記個人情報を消去する処理を含むことを特徴とする請求項１９〜２４のいずれか１つに記載の携帯電話端末。
【請求項２６】
前記保護処理は、個人情報を保護することを知らせる警告処理であることを特徴とする請求項１９〜２５のいずれか１つに記載の携帯電話端末。
【請求項２７】
前記携帯電話端末は、
第２のインターフェイスを介して前記メモリカードを検知可能な場合には、前記制御手段が、前記第１のインターフェイスを介して、前記記憶手段において更新された情報を前記メモリカードに追加するための書き込む手段を更に備えることを特徴とする請求項１９〜２６のいずれか１つに記載の携帯電話端末。
【発明の詳細な説明】
【０００１】
【発明の属する技術分野】
本発明は、個人情報保護方法、個人情報保護プログラム及び携帯電話端末に関する。
【０００２】
【従来の技術】
近年、ＧＳＭ（Ｇｌｏｂａｌ  Ｓｙｓｔｅｍ  ｆｏｒ  Ｍｏｂｉｌｅ  Ｃｏｍｍｕｎｉｃａｔｉｏｎｓ  ）方式と呼ばれる携帯電話端末が利用されている。このＧＳＭ方式の携帯電話は、メモリカードの一種であるＳＩＭ（Ｓｕｂｓｃｒｉｂｅｒ  Ｉｄｅｎｔｉｔｙ  Ｍｏｄｕｌｅ）カードを装着する。このＳＩＭカードには、携帯電話としての電話番号、ユーザＩＤ及び電話帳などの個人情報が記憶される。そして、ＧＳＭ方式の携帯電話は、ＳＩＭカードが装着されることにより、ＳＩＭカードの所有者の携帯電話端末として機能する。このため、故障や電池切れなどのハードウエア障害により携帯電話端末が使用不能となった場合、他の携帯電話端末に自分のＳＩＭカードを装着することにより、自分の電話番号や電話帳などが使用できるという利点を有する。
【０００３】
しかしながら、携帯電話端末を紛失したり盗まれたりする場合がある。この場合、ＳＩＭカードは、通常、携帯電話端末の内部に収容されているため、ＳＩＭカードに記憶されている個人情報などを悪用されるおそれがある。そこで、ＳＩＭカードに記憶されている個人情報の漏出を防止する技術が開示されている（例えば、特許文献１。）。
【０００４】
この特許文献１においては、ＳＩＭカードが挿入された携帯電話端末が紛失又は盗難されると、そのＳＩＭカードの所有者は、他の電話機からその携帯電話端末に対して無効化コードを送信する。これにより、ＳＩＭカードの情報をロックし使用不能状態にすることができる。
【０００５】
【特許文献１】
特開平１１−１７７６８２号公報
【０００６】
【発明が解決しようとする課題】
ところが、特許文献１に記載の技術では、個人情報の漏出を防止するためには、ＳＩＭカードの所有者等が無効化コードを送る必要がある。すなわち、ＳＩＭカードの紛失又は盗難に気が付かなければ、無効化コードを送信してＳＩＭカードの情報をロックすることができない。このため、無効化コードが送信される前に、ＳＩＭカードの個人情報が漏出する可能性があった。
【０００７】
本発明は、上述した問題に鑑みてなされたものであり、その目的は、個人情報の漏出の可能性を、より低減することのできる個人情報保護方法、個人情報保護プログラム及び携帯電話端末を提供することにある。
【０００８】
【課題を解決するための手段】
上記問題点を解決するために、請求項１に記載の発明は、メモリカードに記憶されている個人情報を記憶可能な記憶手段と、前記メモリカードに対して有線により送受信を行う第１のインターフェイスと、前記メモリカードに対して無線により送受信を行う第２のインターフェイスと、前記記憶手段を制御する制御手段とを備える携帯電話端末における前記個人情報を保護する個人情報保護方法であって、前記制御手段が、前記第１のインターフェイスを介して前記メモリカードに接続して、前記個人情報を前記メモリカードから読み出して前記記憶手段に書き込む記録段階と、前記第１のインターフェイスから前記メモリカードが切り離されたときに、前記制御手段が、前記第２のインターフェイスを介して前記メモリカードを検知する検知段階と、前記検知の結果に基づいて前記記憶手段に記憶されている個人情報を保護するための保護処理を実行する保護処理段階とを含むことを要旨とする。
【０００９】
請求項２に記載の発明は、請求項１に記載の個人情報保護方法において、前記検知段階は、所定時間間隔で前記メモリカードの検知を実行することを要旨とする。
【００１０】
請求項３に記載の発明は、請求項１又は２に記載の個人情報保護方法において、前記保護処理は、前記メモリカードの検知ができず、かつ前記制御手段が前記個人情報を読み出すための指令信号を受信したときに実行されることを要旨とする。
【００１１】
請求項４に記載の発明は、請求項１に記載の個人情報保護方法において、前記検知段階は、前記制御手段が前記個人情報を読み出すための指令信号を受信したときに、前記メモリカードの検知を実行することを要旨とする。
【００１２】
請求項５に記載の発明は、請求項１〜４のいずれか１つに記載の個人情報保護方法において、前記保護処理は、少なくとも第１の保護処理及び第２の保護処理とから構成され、前記記憶手段に対する第１の保護処理を行った後、前記第２のインターフェイスを介して前記メモリカードを検知できない場合には、第２の保護処理を段階的に行うことを要旨とする。
【００１３】
請求項６に記載の発明は、請求項１〜５のいずれか１つに記載の個人情報保護方法において、前記保護処理は、前記個人情報が記録された記憶手段に対する処理の実行を拒否する処理を含むことを要旨とする。
【００１４】
請求項７に記載の発明は、請求項１〜６のいずれか１つに記載の個人情報保護方法において、前記保護処理は、前記記憶手段に記録された前記個人情報を消去する処理を含むことを要旨とする。
【００１５】
請求項８に記載の発明は、請求項１〜７のいずれか１つに記載の個人情報保護方法において、前記保護処理は、個人情報を保護することを知らせる警告処理であることを要旨とする。
【００１６】
請求項９に記載の発明は、請求項１〜８のいずれか１つに記載の個人情報保護方法において、前記個人情報保護方法は、第２のインターフェイスを介して前記メモリカードを検知可能な場合には、前記制御手段が、前記第１のインターフェイスを介して、前記記憶手段において更新された情報を前記メモリカードに追加するための書き込む段階を更に含むことを要旨とする。
【００１７】
請求項１０に記載の発明は、メモリカードに記憶されている個人情報を記憶可能な記憶手段と、前記メモリカードに対して有線により送受信を行う第１のインターフェイスと、前記メモリカードに対して無線により送受信を行う第２のインターフェイスと、前記記憶手段を制御する制御手段とを備える携帯電話端末における前記個人情報を保護する個人情報保護プログラムであって、前記制御手段を、前記第１のインターフェイスを介して前記メモリカードに接続して、前記個人情報を前記メモリカードから読み出して前記記憶手段に書き込む記録手段、前記第１のインターフェイスから前記メモリカードが切り離されたときに、前記第２のインターフェイスを介して前記メモリカードを検知する検知手段、及び前記検知の結果に基づいて前記記憶手段に記憶されている個人情報を保護するための保護処理を実行する保護処理手段として機能させることを要旨とする。
【００１８】
請求項１１に記載の発明は、請求項１０に記載の個人情報保護プログラムにおいて、前記検知手段は、所定時間間隔で前記メモリカードの検知を実行することを要旨とする。
【００１９】
請求項１２に記載の発明は、請求項１０又は１１に記載の個人情報保護プログラムにおいて、前記保護処理は、前記メモリカードの検知ができず、かつ前記制御手段が前記個人情報を読み出すための指令信号を受信したときに実行されることを要旨とする。
【００２０】
請求項１３に記載の発明は、請求項１０に記載の個人情報保護プログラムにおいて、前記検知手段は、前記制御手段が前記個人情報を読み出すための指令信号を受信したときに、前記メモリカードの検知を実行することを要旨とする。
【００２１】
請求項１４に記載の発明は、請求項１０〜１３のいずれか１つに記載の個人情報保護プログラムにおいて、前記保護処理は、少なくとも第１の保護処理及び第２の保護処理とから構成され、前記記憶手段に対する第１の保護処理を行った後、前記第２のインターフェイスを介して前記メモリカードを検知できない場合には、第２の保護処理を段階的に行うことを要旨とする。
【００２２】
請求項１５に記載の発明は、請求項１０〜１４のいずれか１つに記載の個人情報保護プログラムにおいて、前記保護処理は、前記個人情報が記録された記憶手段に対する処理の実行を拒否する処理を含むことを要旨とする。
【００２３】
請求項１６に記載の発明は、請求項１０〜１５のいずれか１つに記載の個人情報保護プログラムにおいて、前記保護処理は、前記記憶手段に記録された前記個人情報を消去する処理を含むことを要旨とする。
【００２４】
請求項１７に記載の発明は、請求項１０〜１６のいずれか１つに記載の個人情報保護プログラムにおいて、前記保護処理は、個人情報を保護することを知らせる警告処理であることを要旨とする。
【００２５】
請求項１８に記載の発明は、請求項１０〜１７のいずれか１つに記載の個人情報保護プログラムにおいて、前記個人情報保護プログラムは、前記制御手段を、第２のインターフェイスを介して前記メモリカードを検知可能な場合には、前記制御手段が、前記第１のインターフェイスを介して、前記記憶手段において更新された情報を前記メモリカードに追加するための書き込む手段として更に機能させることを要旨とする。
【００２６】
請求項１９に記載の発明は、メモリカードに記憶されている個人情報を記憶可能な記憶手段と、前記メモリカードに対して有線により送受信を行う第１のインターフェイスと、前記メモリカードに対して無線により送受信を行う第２のインターフェイスと、前記記憶手段を制御する制御手段とを備える携帯電話端末であって、前記制御手段は、前記第１のインターフェイスを介して前記メモリカードに接続して、前記個人情報を前記メモリカードから読み出して前記記憶手段に書き込む記録手段、前記第１のインターフェイスから前記メモリカードが切り離されたときに、前記第２のインターフェイスを介して前記メモリカードを検知する検知手段、及び前記検知の結果に基づいて前記記憶手段に記憶されている個人情報を保護するための保護処理を実行する保護処理手段を備えたことを要旨とする。
【００２７】
請求項２０に記載の発明は、請求項１９に記載の携帯電話端末において、前記検知手段は、所定時間間隔で前記メモリカードの検知を実行することを要旨とする。
【００２８】
請求項２１に記載の発明は、請求項１９又は２０に記載の携帯電話端末において、前記保護処理は、前記メモリカードの検知ができず、かつ前記制御手段が前記個人情報を読み出すための指令信号を受信したときに実行されることを要旨とする。
【００２９】
請求項２２に記載の発明は、請求項１９に記載の携帯電話端末において、前記検知手段は、前記制御手段が前記個人情報を読み出すための指令信号を受信したときに、前記メモリカードの検知を実行することを要旨とする。
【００３０】
請求項２３に記載の発明は、請求項１９〜２２に記載の携帯電話端末において、前記保護処理は、少なくとも第１の保護処理及び第２の保護処理とから構成され、前記記憶手段に対する第１の保護処理を行った後、前記第２のインターフェイスを介して前記メモリカードを検知できない場合には、第２の保護処理を段階的に行うことを要旨とする。
【００３１】
請求項２４に記載の発明は、請求項１９〜２３のいずれか１つに記載の携帯電話端末において、前記保護処理は、前記個人情報が記録された記憶手段に対する処理の実行を拒否する処理を含むことを要旨とする。
【００３２】
請求項２５に記載の発明は、請求項１９〜２４のいずれか１つに記載の携帯電話端末において、前記保護処理は、前記記憶手段に記録された前記個人情報を消去する処理を含むことを要旨とする。
【００３３】
請求項２６に記載の発明は、請求項１９〜２５のいずれか１つに記載の携帯電話端末において、前記保護処理は、個人情報を保護することを知らせる警告処理であることを要旨とする。
【００３４】
請求項２７に記載の発明は、請求項１９〜２６のいずれか１つに記載の携帯電話端末において、前記携帯電話端末は、第２のインターフェイスを介して前記メモリカードを検知可能な場合には、前記制御手段が、前記第１のインターフェイスを介して、前記記憶手段において更新された情報を前記メモリカードに追加するための書き込む手段を更に備えることを要旨とする。
【００３５】
（作用）
請求項１、１０又は１９に記載の発明によれば、個人情報を記録したメモリカードを携帯電話端末とは別に保持することができるので、携帯電話端末を紛失等した場合にもメモリカードを確保することができる。
【００３６】
更に、メモリカードが携帯電話端末から取り出されると、制御手段はメモリカードの検知を行う。そして、メモリカードの検知結果から、メモリカードを携帯するユーザから携帯電話端末が離れている場合には、記憶手段に記憶された個人情報の保護処理が行われる。すなわち、携帯電話端末がユーザから離れると、自動的に携帯電話端末内の個人情報に対して保護処理が行われるため、個人情報の漏洩を極力低減することができる。
【００３７】
請求項２、１１又は２０に記載の発明によれば、所定時間毎に制御手段はメモリカードの検出を繰り返し行うので、携帯電話端末が身近にないことをユーザが認識していなくても、制御手段が検出したときには、自動的に個人情報が保護される。従って、個人情報の漏出をいっそう低減することができる。
【００３８】
請求項３、１２又は２１に記載の発明によれば、ユーザが故意に携帯電話から離れて、メモリカードが携帯電話から離れた場合には、保護処理を行われない。通常、個人情報が悪用される場合には、ユーザが携帯電話から離れた後に、個人情報を記憶している記憶手段に対して何らかの処理が行われる。従って、ユーザが離れても、記憶手段に何の処理も行われない場合には、制御手段は保護処理を行わないため、検知処理の頻度を低減しながら処理を行うようにすることができる。
【００３９】
請求項４、１３又は２２に記載の発明によれば、個人情報を記憶している記憶手段に対して何らかの処理が行われた後に、メモリカードの検出を行う。そして、携帯電話端末は、メモリカードの検出に基づいて、ユーザが携帯電話端末から離れている場合には、直ちに個人情報を保護する。このため、検知処理の頻度を低減しながら、より効果的に個人情報の漏出をいっそう低減することができる。
【００４０】
請求項５、１４又は２３に記載の発明によれば、ユーザから携帯電話端末が離れてからの時間経過によって、保護処理を段階的に強化することができる。このため、個人情報の漏洩をいっそう低減することができるとともに、携帯電話端末が離れたときの時間経過が短いときには携帯電話端末の通常機能を迅速に回復させることができる。
【００４１】
請求項６、１５又は２４に記載の発明によれば、例えば、検知ができなかった場合には、個人情報が記憶されている記憶手段に対する処理が行われないので、個人情報の漏洩を低減することができる。
【００４２】
請求項７、１６又は２５に記載の発明によれば、例えば、検知ができなかった場合には、記憶手段に記憶された個人情報が消去されるため、携帯電話端末から個人情報がなくなる。また、消去された個人情報は、ユーザが携帯しているメモリカードにある。従って、携帯電話端末から個人情報の漏洩をいっそう低減することができるとともに、個人情報は手元に残すことができる。
【００４３】
請求項８、１７又は２６に記載の発明によれば、個人情報を保護することを知らせる警告処理が行われる。この警告処理において、携帯電話端末からの個人情報の漏出についての注意がユーザなどに促されるので、個人情報の漏洩をより効果的に低減することができる。
【００４４】
請求項９、１８又は２７に記載の発明によれば、個人情報に新たな情報を個人情報に追加してメモリカードに記憶されることができる。従って、メモリカードの情報を適宜更新することができるので、携帯電話端末が紛失等した場合でも、更新されているメモリカードに基づいて新しい情報を得ることができる。
【００４５】
【発明の実施の形態】
以下、本発明を具体化した一実施形態を図１〜図７に基づいて説明する。
図１に示すように、携帯電話端末１０は、ＧＳＭ方式の携帯電話機である。携帯電話端末１０は、メモリカードとしてのＳＩＭカード２０が装着可能であり、このＳＩＭカード２０に記憶されているデータに基づいて通話が可能となって携帯電話として機能する。また、本実施形態においてＳＩＭカード２０は、通常、ＳＩＭカードホルダ３０に収容された状態でユーザによって携帯される。
【００４６】
携帯電話端末１０は、複数のボタン１１と及びディスプレイ１２を有している。ボタン１１は、複数の入力ボタンと機能ボタンとを含んでいる。入力ボタンは通話相手の電話番号やメールアドレスを入力するときに用いられるボタンであり、機能ボタンは電話の切断や通話状態及びメールの送受信などを行うときに用いられるボタンである。ディスプレイ１２は、電話番号、メールアドレス、メールの内容、スケジュール及びメッセージなどを表示するための出力手段である。
【００４７】
更に、携帯電話端末１０は、スピーカ（受話手段）１３、マイク（送話手段）１４及びアンテナ１５を備えている。スピーカ１３は、電話の通話相手からの音声を出力する。マイク１４は、ユーザが発した音声を入力する。更に、アンテナ１５は、図示しない基地局と無線により交信して、通話の音声信号やメールのデータ信号などの送受信を行う。
【００４８】
一方、携帯電話端末１０は、ＳＩＭカード２０が内部に収納可能となっており、図示しない挿入口を介してＳＩＭカード２０が装着又は離脱される。また、携帯電話端末１０の内部には、前記ＳＩＭカードホルダ３０と送受信を行うための図示しないアンテナが設けられている。
【００４９】
次に、携帯電話端末１０の電気的構成について図２を参照して説明する。
携帯電話端末１０は、制御部１００、ＲＯＭ１０１、個人情報メモリ１０２、装着インターフェイス部１０３及び検知インターフェイス部１０４を備えている。本実施形態では、制御部１００は検知手段、記録手段又は制御手段として機能する。また、個人情報メモリ１０２は記憶手段、装着インターフェイス部１０３は第１のインターフェイス、検知インターフェイス部１０４は第２のインターフェイスとして機能する。
【００５０】
ＲＯＭ１０１には、個人情報保護プログラムなどの各種プログラムが記憶される。また、制御部１００は、図示しないＲＡＭを備えている。この制御部１００は、ＲＯＭ１０１に記憶されている各種プログラムに従って各種処理（記録段階、検知段階及び保護処理段階を含む処理など）を実行し各部の制御を行う。
【００５１】
個人情報メモリ１０２は、ＳＩＭカード２０に記憶された個人情報が記憶される記憶部である。装着インターフェイス部１０３は、携帯電話端末１０に装着されたＳＩＭカード２０と有線で情報の送受信を行う接触式のインターフェイスである。すなわち、制御部１００は、装着インターフェイス部１０３を介して、携帯電話端末１０に収容されたＳＩＭカード２０から情報を読み出し、その情報を個人情報メモリ１０２に記憶させたり、ＳＩＭカード２０に新たな情報を書き込んだりする。
【００５２】
検知インターフェイス部１０４は、所定帯域の無線を用いてＳＩＭカードホルダ３０と無線で送受信を行うインターフェイス部である。本実施形態では、２．４ＧＨｚの「Ｂｌｕｅｔｏｏｔｈ」（商標名）技術を使った無線方式が用いられる。従って、制御部１００は、この無線方式を用いて、図７に示す所定範囲Ａ（例えば１０ｍ程度）内にあるＳＩＭカードホルダ３０との間で信号の送受信を行う。
【００５３】
また、携帯電話端末１０は、操作部１１１、表示部１１２、スピーカ部１１３、マイク部１１４及び電話網通信部１１５を有している。操作部１１１は、前記ボタン１１を含んで構成されており、各ボタン１１の操作に基づくボタン信号を制御部１００に供給する。表示部１１２は、前記ディスプレイ１２を含んで構成されており、制御部１００からの信号を受けてディスプレイ１２に各種表示を行う。スピーカ部１１３は、前記スピーカ１３を含んで構成され、制御部１００から受信した信号を変換してスピーカ１３から音声を出力する。マイク部１１４は、前記マイク１４を含んで構成され、マイク１４に入力された音声を信号に変換し制御部１００に供給する。電話網通信部１１５は、前記アンテナ１５、復調部及び復調部を備え、前記基地局と音声信号やメール信号などの送受信を行う。
【００５４】
次に、ＳＩＭカード２０について図３を参照して説明する。
ＳＩＭカード２０は、例えばプラスチックなどで構成される基板２１と、この基板２１の一部に形成されたコネクタモジュール２２とを含んで構成されている。コネクタモジュール２２には、その表面にコネクタ（接続端子）が形成されている。このコネクタは、ＳＩＭカード２０が携帯電話端末１０に装着されたときに、前記装着インターフェイス部１０３と接続するように構成されている。
【００５５】
また、コネクタモジュール２２には、ＳＩＭメモリ２３が内蔵されている。このＳＩＭメモリ２３には、個人情報２３０及びアクセスコードデータ２４０が記憶されている。個人情報２３０は、電話識別データ２３１、メールアドレスデータ２３２、メール・電話帳データ２３３及びスケジュールデータ２３４を含む。
この電話識別データ２３１は、ＳＩＭカード２０を識別する番号（電話番号等）である。従って、ＳＩＭカード２０が携帯電話端末１０に装着された場合、電話識別データ２３１に記録された電話番号の携帯電話端末１０として機能することになる。
【００５６】
メールアドレスデータ２３２は、ＳＩＭカード２０を用いた携帯電話端末１０のメールアドレスのデータである。メール・電話帳データ２３３は、通話を行う相手先の電話番号やメールを送信する相手先のメールアドレスなどのデータである。このメール・電話帳データ２３３は、携帯電話端末１０のユーザによりボタン１１を介して入力されてＲＡＭに記憶された後に、ＳＩＭメモリ２３に記憶される。スケジュールデータ２３４は、年月日及び曜日から構成されるカレンダーデータと、前記ボタン１１を介して入力された予定表のデータとから構成されている。
【００５７】
アクセスコードデータ２４０は、携帯電話端末１０が、ＳＩＭカード２０を収納したＳＩＭカードホルダ３０を特定するために用いるデータである。このアクセスコードデータ２４０は、装着インターフェイス部１０３を介して前記制御部１００により設定される。また、アクセスコードデータ２４０は、携帯電話端末１０にＳＩＭカード２０が装着される度に、新しいデータに更新される。
【００５８】
一方、図１に示すように、ＳＩＭカード２０を保持するＳＩＭカードホルダ３０は、ＳＩＭカード２０を収容する空間を内蔵している。この空間は、挿入口３１を介して外部と接続されている。また、挿入口３１の側部には、排出ボタン３２が設けられている。この排出ボタン３２は、ＳＩＭカードホルダ３０内に収容されたＳＩＭカード２０を排出させるためのボタンである。
【００５９】
また、ＳＩＭカードホルダ３０は、図示しない制御部、読出部及び送受信部を備えている。読出部は、ＳＩＭカードホルダ３０に装着されたＳＩＭカード２０のＳＩＭメモリ２３からアクセスコードデータ２４０を読み出して制御部に供給する。送受信部は、制御部からの信号に基づいて携帯電話端末１０と無線で送受信を行う。制御部は、読出部及び送受信部を制御し、携帯電話端末１０との間でアクセスコードデータ２４０の送受信を制御する。
【００６０】
次に、本実施形態の個人情報保護方法について、図４を用いて説明する。
携帯電話端末１０の使用開始時には、まず携帯電話端末１０に、挿入口を介してＳＩＭカード２０が装着される。この場合、携帯電話端末１０の制御部１００は、ＳＩＭカード２０の装着を検知する（ステップＳ１−１）。この検知は、装着インターフェイス部１０３を介して行われる。
【００６１】
次に、制御部１００は、個人情報メモリ１０２に記憶されている電話識別データ２３１と、装着されたＳＩＭカード２０の電話識別データ２３１とが一致しているか否かを判断する（ステップＳ１−２）。具体的には、制御部１００は、装着されたＳＩＭカード２０のＳＩＭメモリ２３に記憶されている電話識別データ２３１を装着インターフェイス部１０３を介して読み出す。そして、制御部１００は、読み出した電話識別データ２３１と、個人情報メモリ１０２に記憶されている電話識別データ２３１とを比較する。
【００６２】
そして、電話識別データ２３１が一致しない場合（ステップＳ１−２にてＮＯの場合）には、制御部１００は、ＳＩＭカード２０のＳＩＭメモリ２３から個人情報２３０を読み出して、個人情報メモリ１０２に記憶する（ステップＳ１−３）。なお、電話識別データ２３１が一致しない場合としては、例えば、個人情報メモリ１０２に何の情報も記憶されていない場合や、他のＳＩＭカード２０に関する電話識別データ２３１が記憶されている場合などである。
【００６３】
次に、制御部１００は、そのＳＩＭカード２０と携帯電話端末１０との送受信を行う場合に用いるアクセスコードデータ２４０を設定する（ステップＳ１−４）。ここでは、まず、制御部１００は、乱数を生成し、この乱数に基づいてアクセスコードデータ２４０を生成する。そして、制御部１００は、生成したアクセスコードデータ２４０を個人情報メモリ１０２に記憶するとともに、ＳＩＭメモリ２３にアクセスコードデータ２４０として記憶する。この場合、制御部１００は、図６に示す取出許可画面５００をディスプレイ１２に出力する。取出許可画面５００には、ＳＩＭカード２０をＳＩＭカードホルダ３０に挿入する旨を促すメッセージが表示される。
【００６４】
一方、通常使用の場合、制御部１００の個人情報メモリ１０２に記憶されているメールアドレスデータ２３２、メール・電話帳データ２３３及びスケジュールデータ２３４を用いて携帯電話端末１０が使用される。この通常使用において、ボタン１１を介してユーザにより、新たなメールアドレスデータ２３２、メール・電話帳データ２３３及びスケジュールデータ２３４は、変更されて、携帯電話端末１０の個人情報メモリ１０２に更新記録される。このため、携帯電話端末１０の個人情報メモリ１０２に記録された電話識別データ２３１と、装着されたＳＩＭカード２０に記録された電話識別データ２３１が一致した場合（ステップＳ１−２にてＹＥＳの場合）には、制御部１００は、個人情報メモリ１０２に記録されているデータを更新する（ステップＳ１−５）。そして、制御部１００は、ＳＩＭメモリ２３に対するデータの更新が完了すると、図６に示す取出許可画面５００を表示する。
【００６５】
その後、ユーザによりＳＩＭカード２０が携帯電話端末１０から抜き取られた場合、制御部１００は、ＳＩＭカード２０の離脱を、装着インターフェイス部１０３を介して検知する（ステップＳ１−６）。
【００６６】
そして、ユーザは、携帯電話端末１０から抜き取ったＳＩＭカード２０をＳＩＭカードホルダ３０に収容する。その後、携帯電話端末１０を携帯するユーザは、ＳＩＭカード２０を格納したＳＩＭカードホルダ３０を携帯する。
【００６７】
ＳＩＭカード２０が離脱したことを検知した制御部１００は、ＳＩＭカード確認処理を実行する（ステップＳ１−７）。このＳＩＭカード確認処理は、所定時間毎（例えば３分毎）に、電源がオフ（ステップＳ１−８にてＹＥＳ）となるまで繰り返し行われる。なお、電源がオフとなった場合（ステップＳ１−８にてＹＥＳの場合）には、制御部１００は個人情報メモリ１０２に記憶された個人情報をすべて削除する（ステップＳ１−９）。
【００６８】
次に、ステップＳ１−７のＳＩＭカード確認処理を、図５〜図７を用いて説明する。
このＳＩＭカード確認処理において、制御部１００は、生成した第１の確認信号を検知インターフェイス部１０４から無線により送信する（ステップＳ２−１）。この確認信号は、制御部１００が個人情報メモリ１０２に記憶したアクセスコードデータ２４０に基づいて生成する。
【００６９】
携帯電話端末１０から送信された確認信号は、図７に示すように、携帯電話端末１０から所定範囲Ａに届くものとする。このため、ＳＩＭカードホルダ３０が所定範囲Ａ内の位置Ｂにある場合には、ＳＩＭカードホルダ３０は、携帯電話端末１０からの確認信号に対して、アクセスコードデータ２４０に関する応答信号を携帯電話端末１０に対して送り返す。そして、ＳＩＭカードホルダ３０からの応答信号を受信した場合（ステップＳ２−２にてＹＥＳの場合）、携帯電話端末１０の制御部１００は、ＳＩＭカード確認処理を終了する。
【００７０】
一方、携帯電話端末１０をユーザが離れた場所に置き忘れたり、携帯電話端末１０が盗難されたりすることにより、図７に示すように位置Ｃにある場合、ＳＩＭカードホルダ３０は携帯電話端末１０からの所定範囲Ａ外にあることになる。この場合、ステップＳ２−１で携帯電話端末１０の制御部１００が送信した確認信号は、ＳＩＭカードホルダ３０に届かない。このため、ＳＩＭカードホルダ３０は、携帯電話端末１０に対して応答信号を送信することができない。
【００７１】
このように、携帯電話端末１０がＳＩＭカードホルダ３０からの応答信号を受信できない場合（ステップＳ２−２にてＮＯの場合）、制御部１００は保護処理を実行する（ステップＳ２−３）。本実施形態では、この段階では、制御部１００は個人情報メモリ１０２に記憶された個人情報をロックする（アクセス不能にする）。
【００７２】
すなわち、制御部１００は、ボタン１１が操作されて操作部１１１からの操作信号を受けても、その信号に基づく処理や表示を行わない。更に、制御部１００は保護処理を行ったことを知らせる警告処理を行う。すなわち、制御部１００は、マイク１４から警告音を発生させるとともに、ディスプレイ１２に図６に示す表示画面５１０を表示する。この表示画面５１０には、個人情報メモリ１０２に記憶された情報をロックした旨が表示される。
【００７３】
そして、個人情報をロックしてから所定時間（例えば３０分）経過すると、制御部１００は、第２の確認信号を送信する（ステップＳ２−４）。この第２の確認信号は、上述した第１の確認信号と同様に、アクセスコードデータ２４０に基づいて生成される。
【００７４】
このとき、位置Ｃのように、ＳＩＭカードホルダ３０が携帯電話端末１０から所定範囲Ａ外にあり、応答信号を受信できなかった場合（ステップＳ２−５にてＮＯの場合）、制御部１００は、更に保護処理を実行する（ステップＳ２−６）。本実施形態では、さらなる保護処理として、制御部１００は、個人情報メモリ１０２に記憶されている情報を削除する。そして、制御部１００は、図６に示すように個人情報を削除した旨の表示画面５２０を表示する。
【００７５】
一方、制御部１００から第２の確認信号が送信されたときに、位置Ｂのように、携帯電話端末１０から所定範囲Ａ内に再びＳＩＭカードホルダ３０が位置していた場合には、ＳＩＭカードホルダ３０は確認信号に対応した応答信号を送信する。応答信号を受信した場合（ステップＳ２−５にてＹＥＳの場合）、携帯電話端末１０の制御部１００はロックの解除を行う（ステップＳ２−７）。
【００７６】
このとき、制御部１００は、図６に示すロック解除を示す表示画面５３０をディスプレイ１２に表示する。そして、ロックの解除に応じて、制御部１００は、ボタン１１の操作に応じて処理や表示を行う通常使用に戻る。
【００７７】
本実施形態によれば、以下のような効果を得ることができる。
・本実施形態では、個人情報を記録したＳＩＭカード２０は、通常、携帯電話端末１０とは別に携帯するので、携帯電話端末１０を紛失等した場合にもＳＩＭカード２０は確保することができる。
【００７８】
更に、ＳＩＭカード２０が携帯電話端末１０から取り出されると、制御部１００は、ＳＩＭカード確認処理（ステップＳ１−７）を行う。この確認処理により、制御部１００は、携帯電話端末１０がＳＩＭカード２０を携帯したユーザから離れたと判断すると、個人情報メモリ１０２の個人情報２３０をロックする（ステップＳ２−３）。すなわち、携帯電話端末１０がユーザから離れると、自動的に携帯電話端末１０内の個人情報２３０に対して保護処理が行われるため、個人情報２３０の漏洩を極力低減することができる。
【００７９】
・本実施形態では、所定時間間隔毎に、ＳＩＭカード確認処理（ステップＳ１−７）を行った。そして、ＳＩＭカード２０を保持するユーザが携帯電話端末１０の所定範囲Ａ外になったときには、制御部１００が自動的に個人情報２３０の保護処理を実行する。このため、ユーザ自身が、携帯電話端末１０が身近にないことを認識していない場合であっても、個人情報の漏出を低減することができる。
【００８０】
・本実施形態では、制御部１００は、アクセスコードデータ２４０に基づいて生成された確認信号を用いてＳＩＭカード２０が収容したＳＩＭカードホルダ３０の存在の検知を行う。このアクセスコードデータ２４０は、個人情報２３０とは別に設定される。従って、個人情報が漏出するようなことにはならない。仮に、ＳＩＭカード２０の位置を検知する確認信号が盗み取られたとしても、ＳＩＭカード２０が携帯電話端末１０に挿入される度に設定されるので、個人情報の漏出のおそれを、いっそう低減することができる。
【００８１】
・本実施形態では、第２の確認信号でＳＩＭカード２０が検出できなかったときは、個人情報メモリ１０２のデータを削除した。すなわち、携帯電話端末１０から個人情報を消去することにより、携帯電話端末１０からの個人情報の漏洩を、より確実に防止することができる。
【００８２】
・本実施形態では、第１の確認信号でＳＩＭカード２０を検出できなかったときは、個人情報２３０がロックされ、更に時間が経過してもＳＩＭカード２０を検出できなかったときは、個人情報メモリ１０２のデータを消去した。すなわち、ＳＩＭカード２０を携帯しているユーザから携帯電話端末１０が離れてからの時間経過によって、保護が段階的に強化される。このため、携帯電話端末１０が所定時間内にＳＩＭカード２０を再度検知できた場合には、携帯電話端末１０の通常機能を迅速に回復することができる。
【００８３】
・本実施形態では、個人情報メモリ１０２に記憶された新たな個人情報をステップＳ１−５においてＳＩＭメモリ２３の個人情報２３０に追加して記憶した。
従って、ＳＩＭカード２０の個人情報２３０を適宜更新することができるので、携帯電話端末１０が紛失等した場合でも、更新されているメモリカードに基づいて新しい情報を得ることができ、携帯電話端末１０の通常機能をいっそう迅速に回復することができる。
【００８４】
・本実施形態では、携帯電話端末１０の制御部１００は、個人情報２３０をロックすると共に、スピーカ１３から警告音を発生させ、表示画面５１０としてディスプレイ１２に表示する。このため、ユーザは、警告音を聞いたり表示画面５１０を見たりすることにより、保護処理が行われたことを知ることができる。
【００８５】
・本実施形態では、携帯電話端末１０内の個人情報メモリ１０２やＳＩＭメモリ２３に必要な情報の記録を完了したときに、制御部１００はその旨を表示する取出許可画面５００をディスプレイ１２に表示する。このため、ユーザはＳＩＭカード２０を携帯電話端末１０から取り出すタイミングを把握ことができる。従って、ＳＩＭカード２０の取り出し忘れを防止し、より確実に個人情報の流出を防止することができる。
【００８６】
・本実施形態では、装着インターフェイス部１０３を介してＳＩＭカード２０の検知を無線で行った。従って、この無線の種類によって、携帯電話端末１０からＳＩＭカード２０の所定範囲Ａを適宜設定することができる。
【００８７】
なお、上記実施形態は以下のように変更してもよい。
○上記実施形態では、ＳＩＭカード２０のみが携帯電話端末１０内に収納可能であった。これに代えて、ＳＩＭカード２０を収容したＳＩＭカードホルダ３０ごと携帯電話端末１０内に収容可能にしてもよい。また、携帯電話端末１０の外部にＳＩＭカードホルダ３０を取り付け、携帯電話端末１０の制御部１００は、ＳＩＭカードホルダ３０を介して個人情報２３０を取得して個人情報メモリ１０２に記憶させるようにしてもよい。
【００８８】
○上記実施形態では、保護処理として、個人情報へのアクセスを拒否したり、警告音を鳴らす警告処理をしたり、個人情報を削除したりした。これに代えて、携帯電話端末１０の電源を切る処理をしてもよい。本実施形態では、携帯電話端末１０の電源を切ることにより個人情報が削除されるので、結果として保護処理が行われる。また、携帯電話端末１０にＧＰＳ（Ｇｌｏｂａｌ  Ｐｏｓｉｔｉｏｎｉｎｇ  Ｓｙｓｔｅｍ  ）が搭載されている場合には、携帯電話端末１０から基地局にＧＰＳの信号を送信して、携帯電話端末１０の現在位置情報を得るようにしてもよい。
【００８９】
○上記実施形態では、ＳＩＭカードホルダ３０が携帯電話端末１０から所定範囲Ａにない場合に、ロックを行うとともに携帯電話端末１０から警告音を発生させた。この代わりに、ＳＩＭカードホルダ３０にスピーカを設け、ＳＩＭカードホルダ３０から警告音を発生させるようにしてもよい。ユーザは、携帯電話端末１０よりもＳＩＭカードホルダ３０を常に携帯していることが多いため、ユーザは、携帯電話端末１０を置き忘れたことや携帯電話端末１０が盗難されたことをより早く知ることができる。
【００９０】
○上記実施形態では、ＳＩＭカード確認処理（ステップＳ１−７）は、約５分ごとに繰り返し行った。この所定時間を短くすれば、携帯電話端末１０からＳＩＭカード２０が離れたことをすぐに検知できる。また、所定時間を長くすれば、ＳＩＭカード２０を検知するための確認信号の送信回数が少なくなるので、送信に要する電力が小さくなり、節電することができる。
【００９１】
○上記実施形態では、携帯電話端末１０からの信号に応答した信号を送信するＳＩＭカードホルダ３０内にＳＩＭカード２０を収容して、ＳＩＭカード２０を携帯した。これに代えて、ＳＩＭカード２０を、アンテナを備えたＩＣタグとしてもよい。ＩＣタグにすることにより、携帯電話端末１０の信号に対応した信号をＳＩＭカード２０自体が送信することができるため、ＳＩＭカードホルダ３０を省略することができる。
【００９２】
○上記実施形態では無線として「Ｂｌｕｅｔｏｏｔｈ」（商標名）を用いたが、これに限られるものではなく、例えば無線ＬＡＮなど他の無線技術を用いてもよい。
【００９３】
○上記実施形態では、携帯電話端末１０からＳＩＭカード２０が所定範囲Ａ内にないと判断できるときに、すぐに個人情報メモリ１０２に記憶されている個人情報をロックした。これに代えて、携帯電話端末１０からＳＩＭカード２０が所定範囲Ａになく、更にボタン１１を介して個人情報メモリ１０２にアクセスを行う動作がされたときに、個人情報２３０にロックを行うようにしてもよい。この場合には、ユーザがＳＩＭカード２０を携帯したまま、故意に携帯電話端末１０から離れた場合であっても、異常がなかった場合にはロックを行わない。このため、制御部１００は異常がなかった場合には、ロック及びその解除を行わないため、携帯電話端末１０を節電することができる。
【００９４】
○上記実施形態では、ＳＩＭカード２０が離脱されると、携帯電話端末１０は、図５に示すＳＩＭカード確認処理を繰り返し行うようにした。これに代えて、携帯電話端末１０からＳＩＭカード２０が離脱され、個人情報メモリ１０２にアクセスを行う動作がされたときに、ＳＩＭカード確認処理を行うようにしてもよい。この場合には、個人情報を記憶している個人情報メモリ１０２に対して何らかの処理が行われた後に、ＳＩＭカード２０の検知を行う。そして、ＳＩＭカード２０が遠くにありユーザが離れている場合には、携帯電話端末１０は直ちに個人情報を保護する。このため、検知処理の頻度を低減しながら、より効果的に個人情報の漏出をいっそう低減することができる。
【００９５】
また、個人情報メモリ１０２に対して何らかの処理が行われたときに、ＳＩＭカード２０の検知を行って保護処理を行う機能は、ユーザの選択により設定することができるようにしてもよい。更に、この機能を、個人情報メモリ１０２に対して行われる処理の種類に応じて設定可能としてもよい。例えば、メール・電話帳データ２３３に対してアクセスが行われたときには、ＳＩＭカード２０の検知を必ず行い、スケジュールデータ２３４に対してアクセスが行われたときには、ＳＩＭカード２０の検知を行わないようにしてもよい。
【００９６】
【発明の効果】
本発明によれば、個人情報を記録したメモリカードを携帯電話端末とは別に保持できるので、携帯電話端末を紛失等した場合にもメモリカードを確保できる。更に、携帯電話端末からメモリカードを取り出した場合には、第２のインターフェイスを介して検知できる場合に個人情報を読み出すことができる。そして、メモリカードを有しているユーザから携帯電話端末が離れた場合には、自動的に個人情報の保護処理が実行され、携帯電話端末からの個人情報の漏洩を極力低減することができる。
【図面の簡単な説明】
【図１】実施形態の携帯電話端末及びＳＩＭカードホルダの外観構成図。
【図２】携帯電話端末の電気的構成を示すブロック図。
【図３】ＳＩＭメモリに記憶されている情報のデータ構成図。
【図４】実施形態における個人情報保護方法の処理手順の流れ図。
【図５】図４におけるＳＩＭカード確認処理の処理手順の流れ図。
【図６】携帯電話端末においてディスプレイに表示される画面図。
【図７】携帯電話端末とＳＩＭカードホルダとの位置関係を示す図。
【符号の説明】
１０…携帯電話端末、２０…メモリカードとしてのＳＩＭカード、１００…制御手段としての制御部、１０２…記憶手段としての個人情報メモリ、１０３…第１インターフェイスとしての装着インターフェイス部、１０４…第２のインターフェイスとしての検知インターフェイス部、２３０…個人情報。
【図１】
2004363732.tif 000003
【図２】
2004363732.tif 000004
【図３】
2004363732.tif 000005
【図４】
2004363732.tif 000006
【図５】
2004363732.tif 000007
【図６】
2004363732.tif 000008
【図７】
2004363732.tif 000009